(57)【要約】【課題】表面に情報を印刷可能としながらも強い印象を与える。【解決手段】可撓性を具備するシート状に構成され、電気的に情報を可変表示する可変表示部３０と、可変表示部を表裏から挟み込んで積層された２枚の表面シート１０ａ，１０ｂとを有し、可変表示部３０が、情報が表示される有機ＥＬパネル３１を含み、厚さが互いに相違する複数の領域を有し、可変表示部３０と表面シート１０ａとの間の有機ＥＬパネル３１に対向しない領域に、表面シート１０ａの表面を平坦化するための厚み吸収シート２０が積層されている。【選択図】図２
2009146114.tif 000002
【特許請求の範囲】
【請求項１】
可撓性を具備するシート状に構成され、電気的に情報を可変表示する可変表示手段と、
前記可変表示手段を表裏から挟み込んで積層された２枚の表面シートとを有し、
前記可変表示手段が、情報が表示される表示パネル部を含み、厚さが互いに相違する複数の領域を有し、
前記可変表示手段と前記２枚の表面シートのうち一方の表面シートとの間の前記表示パネル部に対向しない領域に、前記複数の領域の厚さの相違によらずに当該表面シートの表面を平坦化するための厚み吸収シートが積層された情報表示カード。
【発明の詳細な説明】
【技術分野】
【０００１】
本発明は、名刺等の情報が表示された情報表示カードに関する。
【背景技術】
【０００２】
従来より、一般社会においてビジネスを行う上で名刺は必要不可欠なものとなっている。名刺には、その名刺を所有する人物の氏名の他、所属する企業団体名、部署名、電話番号、さらに近年では電子メールアドレス等が印刷されており、例えば、取り引きを行う場合等にて名刺交換が行われ、その後、この名刺に印刷された情報を用いてビジネスが進められていく。また、近年においては、パーソナルコンピュータの普及やプリンタ技術の進歩から、ビジネス以外でも、個人で名刺を作成し、配布することも行われている。
【０００３】
このような名刺は、上述したように、所有する人物に関する情報が印刷されているだけであるため、相手に強い印象を与えにくいものとなっている。特に、多くの人物から名刺をもらって所有している人物にとっては、誰の名刺がどれかを管理することが困難であり、名刺を渡したとしてもその名刺による強い印象を与えにくい。
【０００４】
ここで、ホログラムを名刺の全面に使用することにより、オリジナル性を持たせた名刺が特許文献１に記載されている。このようにホログラムを使用することで、表面に情報が印刷されただけの名刺と比べて、名刺交換にて相手に強い印象を与えることができるようになる。また、グリーティングカード等においても、このようなホログラムを使用することにより、表面に情報が印刷されただけのグリーティングカード等と比べて、グリーティングカード等を送付した相手に強い印象を与えることができるようになる。
【特許文献１】特開２００２−２４０４７２号公報
【発明の開示】
【発明が解決しようとする課題】
【０００５】
しかしながら、上述したようにホログラムを使用した名刺等のカードにおいては、見る角度を変えなければ発色する色が変化しないため、強い印象を与えることができるとは言い難い。また、情報が印刷されただけの名刺等のカードにホログラムシールを貼り付ければ誰でも作成可能であるため、オリジナル性が失われやすく、これによっても強い印象を与えることができるとは言い難い。
【０００６】
ここで、上述したような名刺等のカードは、その表面に情報を印刷することになるため、可撓性を有するとともに表面の平坦性を確保する必要がある。そのため、強い印象を与えるために一般的な電子回路等を内蔵することは好ましくはなく、上述したように相手に強い印象を与えるためには制限が生じる。
【０００７】
本発明は、上述したような従来の技術が有する問題点に鑑みてなされたものであって、表面に情報を印刷可能としながらも強い印象を与えることができる情報表示カードを提供することを目的とする。
【課題を解決するための手段】
【０００８】
上記目的を達成するために本発明は、
可撓性を具備するシート状に構成され、電気的に情報を可変表示する可変表示手段と、
前記可変表示手段を表裏から挟み込んで積層された２枚の表面シートとを有し、
前記可変表示手段が、情報が表示される表示パネル部を含み、厚さが互いに相違する複数の領域を有し、
前記可変表示手段と前記２枚の表面シートのうち一方の表面シートとの間の前記表示パネル部に対向しない領域に、前記複数の領域の厚さの相違によらずに当該表面シートの表面を平坦化するための厚み吸収シートが積層されている。
【０００９】
上記のように構成された本発明においては、可撓性を具備するシート状に構成され、電気的に情報を可変表示する可変表示手段が２枚の表面シートの間に挟み込まれ、可変表示手段と２枚の表面シートのうち一方の表面シートとの間に厚み吸収シートが積層された構成であるため、可変表示手段による情報の可変表示を可能としながらも可撓性が確保される。また、厚み吸収シートが、可変表示手段と表面シートとの間の、可変表示手段に設けられた表示パネル部に対向しない領域に積層され、可変表示手段の複数の領域の厚さの相違によらずに表面シートの表面を平坦化するものであるので、表面シートの表面が平坦化する。
【００１０】
このように、可撓性を有するとともに表面シートの表面が平坦化することにより、表面に情報を印刷可能としながらも、可変表示手段によって情報が可変表示されることになる。
【発明の効果】
【００１１】
以上説明したように本発明においては、可撓性を具備するシート状に構成され、電気的に情報を可変表示する可変表示手段と、可変表示手段を表裏から挟み込んで積層された２枚の表面シートとを有し、可変表示手段が、情報が表示される表示パネル部を含み、厚さが互いに相違する複数の領域を有し、可変表示手段と２枚の表面シートのうち一方の表面シートとの間の表示パネル部に対向しない領域に、複数の領域の厚さの相違によらずに当該表面シートの表面を平坦化するための厚み吸収部材が積層された構成としたため、可撓性を有するとともに表面シートの平坦性が確保されることにより表面に情報を印刷可能としながらも、可変表示手段によって情報を可変表示することにより強い印象を与えることができる。
【発明を実施するための最良の形態】
【００１２】
以下に、本発明の実施の形態について図面を参照して説明する。
【００１３】
図１は、本発明の情報表示カードの実施の一形態となる名刺の一例を示す図であり、（ａ）は表面から見た図、（ｂ）は内部構成を示す図、（ｃ）は（ａ）に示したＡ−Ａ’断面図である。また、図２は、図１に示した名刺１の積層構造を説明するための図である。
【００１４】
本形態は図１及び図２に示すように、シート状の可変表示部３０の一方の面の一部に厚み吸収シート２０が積層され、この厚み吸収シート２０が積層された可変表示部３０が２枚の表面シート１０ａ，１０ｂに挟み込まれて構成されている。これら表面シート１０ａ，１０ｂ、厚み吸収シート２０及び可変表示部３０は、厚み吸収シート２０の表裏及び表面シート１０ａ，１０ｂの積層状態内側となる面に施された粘着加工によって互いに接着されている。
【００１５】
可変表示部３０は、情報となる可変文字３１ａが表示される表示パネル部である有機ＥＬパネル３１と、フィルム基材等からなり、有機ＥＬパネル３１に可変文字３１ａを表示させるための基板３２と、フィルム基材等からなり、基板３２に電源を供給する薄型電池３４とから構成されている。基板３２には、その一方の面に有機ＥＬパネル３１と接続するための端子部３５が設けられており、この端子部３５は、基板３２上の配線パターンに接続されるように導電性材料が塗布されることにより形成されている。また、基板３２には、有機ＥＬパネル３１に可変文字３１ａを表示させる際に押下するスイッチ３３が設けられている。有機ＥＬパネル３１は、有機化合物を電気によって発光させることにより情報を可変表示するものであって、可撓性を有するシート状に構成されている。これにより、可変表示部３０は、その全体が可撓性を有するシート状のものとなっている。また、有機ＥＬパネル３１と基板３２とはその厚さが互いに相違し、基板３２においても、スイッチ３３が設けられた領域と薄型電池３４が接続された領域とその他の領域とでその厚さが互いに相違している。なお、本形態においては、表示パネル部として有機ＥＬパネル３１を例に挙げて説明したが、表示パネル部としては、その他に、互いに対向する２つの電極間に分散した帯電性粒子を２つの電極のいずれか一方に移動させることにより表示を切り替える垂直型電気泳動方式のものや、互いに対向する２つの電極間における相転移による２つの異なる分子配向を利用して表示を行うコレステリック液晶方式のもの等、可撓性を有するシート状のものであれば適宜利用することができる。ただし、有機ＥＬは、液晶方式よりも柔軟性に勝り、また、無機ＥＬとは異なり交流電流等を使用しないことから単純構成の薄型電池等にも容易に適応でき、さらには、電気泳動方式とは異なり発光する点において見る者の訴求力をより増すことができるため、本形態のように有機ＥＬパネル３１を用いた方がより好ましい。
【００１６】
表面シート１０ａは、その表面に名刺情報１３が印刷されているとともに、可変表示部３０のスイッチ３３に対向する領域に、スイッチ３３の押下を指示するためのプッシュボタン１１が表示されている。このプッシュボタン１１は、名刺情報１３と同時あるいは予め表面シート１０ａに印刷することや、シールを貼付することによって表示される。また、表面シート１０ａの有機ＥＬパネル３１に対向する領域には、有機ＥＬパネル３１にて表示される可変文字３１ａが表出するための窓部１２が設けられている。この窓部１２は、表面シート１０ａの一部を切り欠いて構成することや、表面シート１０ａの一部を透明基材とすることによって構成することが考えられる。また、表面シート１０ａ，１０ｂの材質としては、可撓性があるものであれば、紙素材等、いかなるものでも構わない。
【００１７】
厚み吸収シート２０は、可変表示部３０の表面シート１０ａに対向する面のうち、有機ＥＬパネル３１に対向しない領域に積層されている。また、スイッチ３３に対向する領域には、スイッチ３３を含む大きさの穴部２１が形成されている。ここで、基板３２においては、スイッチ３３が設けられた領域とそれ以外の領域とで厚さが互いに相違するが、厚さ吸収シート２０のスイッチ３３と対向する領域に穴部２１が形成されていることにより、この厚さ吸収シート２０に表面シート１０ａが積層された場合に、基板３２のうち、スイッチ３３が設けられた領域とそれ以外の領域との厚さの相違によらずに表面シート１０ａの表面が平坦化する。なお、厚み吸収シート２０の厚さを、スイッチ３３の厚さ以上のものとすれば、表面シート１０ａのスイッチ３３と対向する領域がスイッチ３３によって盛り上がることがなく、また、厚み吸収シート２０の厚さを、スイッチ３３の厚さと同等のものとすれば、表面シート１０ａのスイッチ３３と対向する領域が窪んでしまうことがない。また、基板３２上にスイッチ３３以外に所定の厚さを有する部材が搭載されている場合、厚み吸収シート２０のその部材と対向する領域に穴部を形成しておくことにより、同様の効果を得ることができる。また、厚み吸収シート２０は、上述したように基板３２の厚くなる部分に対向する領域に穴部を形成しておくのではなく、基板３２の厚くなる部分に対向する領域を避けるように複数に分割され、それにより、表面シート１０ａの表面の平坦化を実現してもよい。また、厚み吸収シート２０の材質としては、表面シート１０ａ，１０ｂと同様に、可撓性があるものであれば、紙素材等、いかなるものでも構わない。
【００１８】
以下に、上記のように構成された名刺１の使用方法について説明する。
【００１９】
まず、上記のように構成される名刺１は、所有する人物に応じた名刺情報１３が印刷される。この際、名刺１全体が上述したように可撓性を有するとともに、表面シート１０ａの表面が平坦化しているため、名刺情報１３を容易に印刷することができる。
【００２０】
名刺情報１３が印刷された名刺１は、ビジネス等にて使用される。この際、プッシュボタン１１が押下されると、スイッチ３３が押下され、有機ＥＬパネル３１において可変文字３１ａが表示される。本形態においては、プッシュボタン１１を介してスイッチ３３が押下されると、有機ＥＬパネル３１にて表示可能な可変文字３１ａである“ＴＯＰＰＡＮ  ＦＯＲＭＳ”のうち、まず、“Ｔ”が発光して表示され、次に、“Ｏ”が発光して表示され、その後、“Ｐ”、“Ｐ”、“Ａ”、“Ｎ”というように、可変文字３１ａである“ＴＯＰＰＡＮ  ＦＯＲＭＳ”が一文字ずつ順次発行して表示されていく。これは、基板３２内に設けられたＩＣチップ（不図示）によって、可変文字３１ａである“ＴＯＰＰＡＮ  ＦＯＲＭＳ”の一文字ずつに順次電圧が印加されるような制御が行われることによるものであって、ＩＣチップの制御によっては、可変文字３１ａである“ＴＯＰＰＡＮ  ＦＯＲＭＳ”を逆方向に一文字ずつ発光させることや、全ての文字を一度に発光させること等が可能である。
【００２１】
有機ＥＬパネル３１にて発光して表示された可変文字３１ａは、表面シート１０ａの窓部１２を介して外部から視認されることになる。
【００２２】
このように、表面シート１０ａに表示されたプッシュボタン１１を押下することにより、２枚の表面シート１０ａ，１０ｂに挟み込まれた可変表示部３０の有機ＥＬパネル３１において可変文字３１ａが表示されるので、名刺１を渡す相手に強い印象を与えることができる。
【００２３】
なお、本形態においては、情報表示カードとして名刺１を例に挙げて説明したが、本発明は名刺１に限らず、グリーティングカード等にも適用することができ、その場合においても、表面に情報を印刷できながらも可変情報を電気的に表示することにより強い印象を与えることができる。
【図面の簡単な説明】
【００２４】
【図１】本発明の情報表示カードの実施の一形態となる名刺の一例を示す図であり、（ａ）は表面から見た図、（ｂ）は内部構成を示す図、（ｃ）は（ａ）に示したＡ−Ａ’断面図である。
【図２】図１に示した名刺の積層構造を説明するための図である。
【符号の説明】
【００２５】
１    名刺
１０ａ，１０ｂ    表面シート
１１    プッシュボタン
１２    窓部
１３    名刺情報
２０    厚み吸収シート
２１    穴部
３０    可変表示部
３１    有機ＥＬパネル
３１ａ    可変文字
３２    基板
３３    スイッチ
３４    薄型電池
３５    端子部
【図１】
2009146114.tif 000003
【図２】
2009146114.tif 000004